(57)【要約】      （修正有）【課題】スキーを使用する人の重心の位置に関する情報を伝えるための装置を提供する。【解決手段】使用者のスキー靴２とスキー１との間に、その時々の力を測定する圧力センサー５を配備し、その測定結果から重心位置を評価ユニット６によって検出し、重心位置の情報を表示ユニット７によって音響的または光学的に表示する。【選択図】図１
2005066335.tif 000002
【特許請求の範囲】
【請求項１】
スキー、スノーボード、グラススキー、サーフボード、ウィンドサーフィンなどのスポーツ用具に配備する、このスポーツ用具を使用する人の重心の位置に関する情報を伝えるための装置において、
使用者の足とスポーツ用具（１）との間に、その時々の力を測定するセンサー（５）を配備することと、重心の位置を、その測定結果から、評価ユニット（６）によって算出して、それに対応して、表示ユニット（７）によって音響的または光学的に表示することとを特徴とする装置。
【請求項２】
センサー（５）が、スポーツ用具（１）に配備されていることを特徴とする請求項１に記載の装置。
【請求項３】
スポーツ用具（１）が、ビンディング（３）を有し、センサー（５）が、このビンディング（５）に配備されていることを特徴とする請求項２に記載の装置。
【請求項４】
評価ユニット（６）が、スポーツ用具（１）に取り付けられているか、またはスポーツ用具（１）に統合されていることを特徴とする請求項１から３までのいずれか一つに記載の装置。
【請求項５】
表示ユニット（７）が、スポーツ用具（１）に取り付けられているか、またはスポーツ用具（１）に統合されていることを特徴とする請求項１から４までのいずれか一つに記載の装置。
【請求項６】
スキー用であって、表示ユニット（７）が、ストックに取り付けられていることを特徴とする請求項１から５までのいずれか一つに記載の装置。
【請求項７】
表示ユニット（７）が、使用者のヘルメットまたはメガネに配備されていることを特徴とする請求項１から６までのいずれか一つに記載の装置。
【請求項８】
センサー（５）が、圧電にもとづき動作することを特徴とする請求項１から７までのいずれか一つに記載の装置。
【請求項９】
センサー（５）が、抵抗線ひずみゲージにもとづき動作することを特徴とする請求項１から８までのいずれか一つに記載の装置。
【発明の詳細な説明】
【技術分野】
【０００１】
この発明は、スキー、スノーボード、グラススキー、サーフボード、ウインドサーフィンなどのスポーツ用具に配備する、このスポーツ用具を使用する人の重心の位置に関する情報を伝えるための装置に関する。
【背景技術】
【０００２】
多くのスポーツ種目、特にスキー滑走、スノーボード滑走の場合、使用者が、自身の重心をスポーツ用具の面に対して非常に特殊な関係に保つことが、特に重心がスポーツ用具のこの面の一定の領域上にあることが重要である。この明細書では、この面とは、スキーやスノーボードが、無荷重の静止状態で、既に独自の曲がりを有する場合においても、常にほぼ平坦である面と解釈する。先端の領域を考慮に入れない場合、中央の面が、この出願の目的に関して十分に正確に、この面の代わりを果たすことができ、その際平均値の算出方法も、その結果とそのためにこの発明に対して、目立った影響を持たない。
【０００３】
そこで、特にスポーツを習い始めた人を支援するためには、その人の重心が用具に対して正しい位置にあるのか否かに関する、その時点の情報を、その人に与えることができることが有益であろう。現在、そのためには、トレーナーとインストラクターの呼び声しかないが、それら自身もまた、大雑把な判定に頼っており、その判定は、距離が遠くなったり、悪天候や異なった視点では、必然的に信頼できず、不正確となる。
【発明の開示】
【発明が解決しようとする課題】
【０００４】
この発明は、ここで述べた問題を取り除くとともに、このようなスポーツ用具を使用する人に、その重心の位置に関する信頼できる情報を伝えることを可能とする装置を提供することを課題としている。
【課題を解決するための手段】
【０００５】
この発明にもとづき、この課題は、使用者の足とスポーツ用具との間に、その時々の力を測定するセンサーを配備することと、重心の位置を、その測定結果から、評価ユニットによって算出するとともに、それに対応して、音響的または光学的に表示することにより達成される。
【０００６】
実際には、大抵のスポーツ用具では、この測定センサーを、スポーツ用具とビンディングとの間かビンディングと靴との間のどちらかに配備する。有利には、このセンサーは、静電容量による方法で動作し、特に有利には圧電素子である。この発明と選定したセンサーの知識があれば、当業者は、測定結果の計算とそれによる重心の位置の決定を簡単に行うことが可能であり、ここで更に説明する必要はない。
【０００７】
表示は、例えば使用者に対して容易に視認可能なスポーツ用具の前方の領域にある表示器によって行うことが可能であり、その際スポーツ用具の表面形状に容易に適合する薄片または同等物上の特殊な表示器を使用するのが有利である。別の可能性は、重心が、正しい位置に対して前方すぎるか、または後方すぎるかを音響信号により表すとともに、正しい位置にある範囲を無音で表すことである。当然に、別の音響的な措置も考えられる。
【０００８】
特に、ビンディングと靴との間で測定値を取得する場合、測定結果をストックのグリップに表示することが可能であり、その際データの伝達は、有線または無線で行うことができ、この場合、スノーグラスに映し出すことまでの、現在民生分野そしてまた軍事分野において使用されているあらゆる表示手段が考えられる。
【発明を実施するための最良の形態】
【０００９】
以下においては、図面をもとに、この発明をより詳しく説明する。スキー靴２は、スキー１のビンディング３に収まっている。スキー靴２の下側と直接接触しているビンディング板の台座面４には、スキー靴２からスキー１に伝えられる力を測定する圧力センサー５が配備されている。ここに述べる事例では、台座面４上の荷重の状況は、恒常的かつ連続的に変化しており、これには、特に圧電的な圧力変換器が適している。圧力センサーの位置と数は、ここに示した実施例に制限されるものではない。しかし、ちょうどスキー滑走では、４つの十字形状に配置した圧力センサーが、スキー滑走に関して必要なすべての情報を供給することができる。スキー靴の下側のでこぼこによる誤った情報を回避するために、一方では、台座面に配置した４つの圧力センサー５の値を平均することができるとともに、他方では、４つのセンサーすべてを別々に評価することによって、横方向の、すなわちスキーヤーの傾斜姿勢により起こる、スキーに対して垂直に生じる荷重の分布に関する情報をも得ることができる。その信号は、スキーまたはビンディングの中あるいは上の配線を介して、センサーから、有利にはビンディング３の中あるいは上に配備された評価ユニット６に伝送される。このユニットは、そこからまたもや、ここに示した例では、スキー１の前方の端部に配備した、評価ユニット６と通信する表示器７によって表示される信号または情報を生成する。既に上述したとおり、評価ユニット６と表示器または圧力センサー５との間の通信は、無線によって行うことも可能である。従って、表示器７は、スキーのストック、手袋またはスキーメガネに取り付けることも可能である。情報を光学的に再生する代わりに、例えばヘッドホンによって伝えるような、音響的に再生することも可能である。
【００１０】
当然に、この発明による基本構成は、相応の境界条件を考慮して、スポーツ用具を用いて行う別のスポーツ種目にも適用可能であり、そこで、サーフボードまたはセールボードに取り付けた、複数のセンサーを配備した平坦なマットによって、使用者に重心のその時々の位置を表示して、非常に容易に、使用者に正しい位置を認識させて、自動的にその位置につくようにさせることが可能である。場合によっては、ウィンドサーフィンに使用する際に、マストに作用する力または手の把持力を計算に含めることもできる。
【図面の簡単な説明】
【００１１】
【図１】この発明のスキーにおける実施例
【符号の説明】
【００１２】
１    スキー
２    スキー靴
３    ビンディング
４    台座面
５    圧力センサー
６    評価ユニット
７    表示器
【図１】
2005066335.tif 000003